(57)【要約】      （修正有）【目的】取っ手に沿わせてを設け、かつパイプを固定する係合子のバネ部材の反発力を弱くし、解除時のハンドル操作を円滑にできるようにすることにある。【構成】上段パイプ３ａ側の小孔４、４’と、下段パイプ３ｂ側の小孔４、４’をそれぞれ上段パイプ３ａと下段パイプ３ｂの壁の左右に形成している。この左右の小孔４、４’にそれぞれ２個が同時に進入する一対の各係合子５、５’、６、６’を位置させている。この２個を一対とする各係合子５、５’、６、６’の後部に一端を当接し、上段パイプ３ａ、下段パイプ３ｂの内側から外方にそれぞれ相反するように付勢するバネ部材７を上段パイプ３ａ、下段パイプ３ｂの内側に設けている。このバネ部材と係脱しバネの縮小を可能にする解徐部材を設けている。解除部材と前記ハンドル２を連結する連結部材を上段パイプ３ａに嵌挿している。【選択図】  図１
2010081946.tif 000002
【特許請求の範囲】
【請求項１】
前面に小物品を収容する袋部と、この袋部の裏面に有する接着剤と、この接着剤面に被せる剥離可能なシートとを設け、かつ前記袋部に小物品を出し入れする開閉可能な開口部を形成すると共に、袋部の裏面に有する接着剤を非乾燥性の粘着剤にし、この粘着する面を所望する被接着面側に貼付けすることができることを特徴とする物品収容袋。
【発明の詳細な説明】
【０００１】
【産業上の利用分野】
本発明は小物品である財布あるいはパスホートなどの貴重品を収容する袋本体であって、さらに詳しくのべると、この袋本体を所望する所に貼付けできるようにした物品収容袋に関するものである。
【０００２】
【従来の技術】
従来この種の物品収容袋Ａは、例えば図３に掲記するように前面に袋部１を設け、この袋部１に小物品（不図示）を出し入れする開口部２を設けている。また袋部１の上部に挿入孔３を設け、この挿入孔３に挿入孔３に紐４が通され、この紐４を携帯時において首（不図示）に掛けられるようにしているので、紐４の長さを適宜に調整している。さらに前記開口部２の縁部に開閉自在のファスナー５を設けているが、開口部２を解放させているものもある。
【０００３】
また別の物品収容袋Ａとして、例えば実公昭５７−３１７７８号公報の貴重品携帯具は略中央部分に袋部を形成している。また袋部の上部に開閉可能な開口部を有しているが、この開口部の縁部にスライド式に開閉てきるファスナーを設けている。この袋部の両側に帯体を設けているが、この帯体は人体の胴部に巻き付けことができるような長さになっている。またこの帯体の両端側にベルベット状イプの下端に、荷受台の後端部と回動可能に連結するように支持軸を設けているので、都伝側に対し折りた民ができるようにしている。
【０００３】
また前記各パイプの端に小孔をそれぞれ形成し、この小孔には各パイプ内に内設している。またバネ部材で付勢される係合子を係脱するように配設している。しがつて運搬車の使用中は、各パイプは伸長されている状態になっているので、このときは係合子が前記各パイプの小孔に進入し係止の状態にある。したがつて各パイプの伸長は維持されている。また運搬車の不使用においては各パイプを縮小しなければならないから、このようなときは対抗する一対の各パイプの間に解徐部材を介在させた解除部材を操作するようにしている。
【０００４】
さらに各パイプを伸縮させる方法について詳しく説明すると、この解除手段においては大きく分けると、取っ手に沿ったハンドルを操作するか、または一対の各パイプの間に配設され、全体パイプの中間に位置にする前記解徐部材（ハンドル）を手で上、下に操作するようにしたり、あるいは下の荷受け台に沿って設けたバー材を踏むようにしたいわゆる足踏式で解除ができるようにしている。このようにそれぞれの解除手段において、技術的に共通する手段は解徐部材に形成する傾斜面に前記係合子を当接させている。したがつてこの傾斜面をずらしながら係合子を後退させるようにすれば解除ができるので、各パイの縮小を可能にしている。
【０００５】
【発明が解決しようとする課題】
前記するようにパイプの中間位置に解除用のハンドルを配設すると、荷受台に載置した荷物で操作がしずらいという欠点があり、また足踏式においては解除の操作時に靴で荷物を蹴って傷をつけるという欠点があった。また各パイプの伸長時を保持する手段として、各パイプ内にそれぞれ係合子を設けているが、この係合子は各パイプの連結部において１個だけであるから、運搬中にパイプに負荷が掛かるとこの係合子を付勢しているバネに抗して後退するので、このバネの弾力を大きくしている。
【０００６】
したがって解徐部材に形成する傾斜面と係合子を接触させていると、傾斜面が摩耗するので、解除操作において滑りを悪くし抵抗が大きいという欠点がある。
本発明の目的は斯かる欠点を除去するために、取っ手に沿わせてを設け、かつパイプを固定する係合子のバネ部材の反発力を弱くし、解除時のハンドル操作を円滑にできるようにすることにある。
【０００７】
【課題を解決するための手段】
本発明は斯かる目的を達成するために、取っ手部分か伸縮しかつ荷受台の折りたたみができる小型の運搬車において、上部に有する取っ手と、この取っ手に沿うハンドルと、取っ手の両端に一端を連結しかつ伸縮可能に嵌挿する一対の上下二段の各パイプと、一方の下段パイプの下端に後部両端を回動可能に連結する荷受台と、前記各パイプの連結位置に形成する各小孔と、この小孔の左右にそれぞれ２個が同時に進入する一対の各係合子と、この２個を一対とする各係合子の後部に、一端を当接させかつ各パイプの内側から外方にそれぞれ相反する方向に付勢するバネ部材と、このバネ部材と係脱しバネの縮小を可能にする解徐部材と、上段パイプ内に嵌挿され、かつ解除部材と前記ハンドルとを連結する移動可能な連結部材とをそれぞれ設け、前記ハンドルを操作したとき解徐部材を移動させながら、バネ部材を圧縮すると、それぞれ左右の係合子が同時に各パイプ側の内方向に後退され、上段パイプと下段パイプの固定が解除され、上段パイプと下段パイプの伸縮を可能にすることにある。
【０００８】
【作用】
本発明における運搬車は各パイプの連結位置に形成する各小孔とこの小孔の左右にそれぞれ２個が同時に進入する一対の各係合子と、この２個を一対とする各係合子の後部に、一端を当接しかつ各パイプの内側から外方にそれぞれ相反する方向に付勢するバネ部材を有するので、バネ部材の反発力が弱くても、係合子が両側に均等に係止し固定を安定させることができる。しかもバネ部材の反発力が小さくできるのでハンドル操作を軽くすることができる。
【０００９】
【実施例】
以下、本発明における運搬車について、その実施例を図面に基づき説明する。図は本発明における運搬車Ａの一実施例であって、図１は本発明における運搬車Ａの斜視図であり、図２は本発明における運搬車Ａの要部を図示する部分拡大図であって一部を切欠している。
【００１０】
本発明における運搬車Ａは、取っ手部分Ｎが伸縮しかつ荷受台Ｂの折りたたみができる小型の運搬車において、上部に有する取っ手１と、この取っ手１に沿うハンドル２を有している。取っ手１の両端に一端を連結しかつ伸縮可能に嵌挿する一対の上段パイプ３ａを下段パイプ３ｂに嵌挿しスライドできるようにしている。一方の下段パイプ３ｂの下端には、下部に車輪１０を設けた荷受台Ｂの後部両側を回動可能に支持軸１１により連結している。また前記上段パイプ３ａと下段パイプ３ｂの連結位置Ｐにそれぞれ形成する上段パイプ３ａ側の小孔４、４’と、下段パイプ３ｂ側の小孔４、４’をそれぞれ上段パイプ３ａと下段パイプ３
【００１１】
ｂの壁の左右に形成している。この左右の小孔４、４’にそれぞれ２個が同時に進入する一対の各係合子５、５’、６、６’を位置させている。さらにこの２個を一対とする各係合子５、５’、６、６’の後部に、一端を当接させかつ上段パイプ３ａ、下段パイプ３ｂの内側から外方にそれぞれ相反するように付勢するバネ部材７を上段パイプ３ａ、下段パイプ３ｂの内側に設けている。さらにこのバネ部材７と係脱しバネの縮小を可能にする解徐部材８を設けている。解除部材８と前記ハンドル２とを連結する移動可能な連結部材９を、上段パイプ３ａに嵌挿
【００１２】
している。したがって前記ハンドルの操作のとき解徐部材８を移動させながら、バネ部材７を解徐部材８で圧縮すると、それぞれ左右の各係合子５、５’、６、６’が同時に上段パイプ３ａと下段パイプ３ｂ側の内方向に後退され、上段パイプ３ａと下段パイプ３ｂの固定が解除される。したがって上段パイプ３ａと下段パイプ３ｂの伸縮ができるようにしている。また運搬車Ａの使用時におていは、おいてハンドル２を引き上げ操作をすると、上段パイプ３ａと下段パイプ３ｂが伸長されるので、上段パイプ３ａ、下段パイプ３ｂの内側から外方に、それぞれ相反する方向に付勢するバネ部材７により、各係合子５、５’、６、６’が前記左右の小孔４、４’に進入し係止状態となり、上段パイプ３ａ、下段パイプ３ｂの縮小が阻止されるようにしている。
【００１３】
さらに本発明における運搬車Ａの解除について説明すると、解除操作をするときに持つ前記ハンドル２は、取っ手１と並行に沿うように設けているが、このようにすることにより取っ手１を持ったままで、ハンドル２の操作ができるので荷受台Ｂに荷物が載置されてあってもし易くしている。このハンドル２の両側は折り曲げ、またこの両側の端を取っ手１の両側に係止させ、この係止させた部分を支点にハンドル２を回動可能にし、のハンドル２の両端を僅かに上、下させ、このハンドル２の両端を所定位置に復帰させるスプリング（不図示）を介在するようにしている。
【００１４】
またこのハンドル２の両端に連結部材９の上端９’を固定しているので、解除部材７は上下に移動可能であり、ハンドル２を引き上げたときに、この連結部材９の下端９”に固着した解除部材７が下降し、バネ部材７の上から接触しながらバネ部材７を圧縮できるように解除部材７をパイプ状に形成しているが、解除部材７自体の形状はパイプに限らずバネ部材７を左右同時に圧縮できるように例えばこの解除部材８の左右両側に傾斜面を形成するようにしてもよい。
【００１５】
【発明の効果】
以上の如く本発明は取っ手部分が伸縮しかつ荷受台の折りたたみができる小型の運搬車において、上部に有する取っ手と、この取っ手に沿うハンドルと、取っ手の両端に一端を連結しかつ伸縮可能に嵌挿する一対の上下二段の各パイプと、一方の下段パイプの下端に後部両端を回動可能に連結する荷受台と、前記各パイプの連結位置に形成する各小孔とこの小孔の左右にそれぞれ２個が同時に進入する一対の各係合子と、この２個を一対とする各係合子の後部に、一端を当接させかつ各パイプの内側から外方にそれぞれ相反する方向に付勢するバネ部材と、このバネ部材と係脱しバネの縮小を可能にする解徐部材と、上段パイプ内に嵌挿され、かつ解除部材と前記ハンドルとを連結する移動可能な連結部材とをそれぞれ設けることにより、前記ハンドルを操作したとき解徐部材を移動させながら、バネ部材を圧縮すると、それぞれ左右の係合子が同時に各パイプ側の方向に後退され、上段パイプと下段パイプの固定が解除され、上段パイプと下段パイプの伸縮を可能にするので、バネ部材の反発力が弱くても、係合子が両側に均等に係止し固定を安定させることができる。しかもバネ部材の反発力が小さくすることができるのでハンドル操作も軽くなるなど実用性に優れ有用な効果を奏するものである。
【図面の簡単な説明】
図は本発明における運搬車の一実施例を図示するものでる。
【図１】本発明における運搬車の斜視図
【図２】本発明における運搬車の要部拡大図
【符号の説明】
Ａ…運搬車
Ｂ…荷受台
Ｎ…取っ手部分
Ｐ…連結位置
１…取っ手
２…ハンドル
３ａ…上段パイプ
３ｂ…下段パイプ
４…支持軸
４、４’…小孔
５…係合子
５’…係合子
６…係合子
６’…係合子
７…バネ部材
８…解徐部材
９…連結部材
９’…上端
９”…下端
１０…車輪
１１…支持軸
【図１】
2010081946.tif 000003
【図２】
2010081946.tif 000004